(57)【特許請求の範囲】
【請求項１】
地上に設置する角筒形の檻本体は、左右に開口を有し檻本体天井枠３上部中央に位置するバランスアーム１３，１３は左右一直線に静止したり、前後に曲がりへの字に可動する機能を持ち長さを調整し、可動の速さを変えることが出来るタンパックル１１、ネジ付シャフト１２を含むストッパー機構２０の両端部に連結された一対のストッパー腕１０，１０の上に垂直に立って支持されたシャッター１８，１８は檻本体内に入ってきた動物が仕掛け２８を側面枠４から係止状態を解除すると可動アーム２７を通し連結棒１４と連結したバランスアーム１３，１３のバランスが変わり自重でストッパー腕１０，１０が水平状態から５０度に傾斜し可動フック９が外向きに開き垂直に降下し左右の開口を速く同時に塞ぐ左右一対の自動ロック付シャッター１８，１８を備えた捕獲檻。
【請求項２】
檻本体の天井枠３上部の中央に位置する上記ストッパー機構２０は中心にあるバランスアーム１３，１３と長さを調整し、可動の速さを変えることが出来るタンパックル１１，１１にネジ付シャフト１２，１２と左右一対に可動するよう位置し、開口上部の左右一対のストッパー腕１０，１０と連結すると自重で左右同時に降下するシャッター１８，１８の降下エネルギーをストッパー機構２０中央に位置するバランスアーム１３，１３が左右一直線に静止したり、への字に曲がって垂直に降下するエネルギーを連結した連結棒１４が前後の運動に変え、檻本体内に入ってきた動物によって間接的に可動させられる、回転シャフト１５、ワイヤー２８、可動アーム２７等が檻本体の側面枠４内外から下部に支持された仕掛け１６・２８・２９・３０等を捕獲しようとする動物の種類や大きさ、習性の違いに合わせて交換できる機能を備えた捕獲檻。
【発明の詳細な説明】
【０００１】
【発明の属する技術分野】
この発明は猪・鹿・熊・猿・狐・鴉も捕獲できる有害鳥獣駆除の捕獲檻である。
【０００２】
【従来の技術】
捕獲用檻として、左右の各端部に開口を有し、地上に設置される角筒形の檻本体と上記檻本体の左右の開口上に垂直に立って支持され、垂直に降下して左右の開口を同時に塞ぐ左右一対のシャッターを備えたものは、従来から公知である。これら従来の捕獲用檻の多くは左右の開口から檻の中に踏み込んだ動物の重量で檻の底板が下向きに動いたり、内部中央回転自在な回転腕と連動して前後の開口の上で垂直に立っているシャッターの降下を阻止していたストッパーが外れ、シャッターが降下して左右の開口を同時に塞ぎ、檻本体の内部に動物を捕獲する。
【０００３】
【発明が解決しようとする課題】
従って、捕獲できるの檻の底板を下向きに動かすことができる重量を有する猪・熊などの大形の獣であり、軽量な猿や鴉などの鳥は捕獲できない。又、底板は下向きに動けるように地面から上にバネなどで浮かせおく必要があるので、獣道などに仕掛けても動物が警戒し、檻の中に仲々入らない。又、バネなどで浮かされた底板を地面と同じ平面にするには、仕掛ける際に地面を掘り下げ、掘り下げた内部に設置しなければならないので動物が警戒すると供に、地面を掘り下げるのに手数がかかる。又、中央内部で回転する旋回腕は、動物が入ると破損が大きく１回１回修理や取替が必要となる。又、獣道が変わった場合大型檻は分解できず、移動は費用面で高額につき捕獲効率の悪い檻も多い。動物も学習していて一つの方法では捕獲が難しくなり、又、修理費用や数種類の檻を購入すると費用的に高くつく。
【０００４】
【課題を解決するための手段】
本発明は、上述した問題点を解決するために開発されたもので左右の各端部に開口を有し、地上に設置される角筒形の檻本体の上記檻本体の左右の開口の上に垂直に立って支持され垂直に降下した左右の開口を同時に塞ぐ左右一対のシャッター１８，１８を備えた捕獲檻に、檻本体側面に位置する可動アーム２７檻本体内に入った動物により動かされる仕掛け１６・２８・２９・３０は檻本体上面部のストッパー機構２０の中央部の図８に示すバランスアーム１３，１３は連結棒１４とネジ付シャフト１２にボルトとダブルナットで可動するよう支持され連結棒ガイド２６と前後フレ止め１９は天井枠３上部に溶接などで固定されているために、前後方向に曲がる、力の方向と強さがタンパックル１１で調整出来る。捕獲しようとする動物の種類や習性の違いにより取替られる数種類の仕掛け１６・２８・２９・３０はスプリング等を使用せず、１台の檻で取替使用できる特徴を備えた強力な捕獲檻としては安価である。
【０００５】
【発明の実施の形態】
図示の実施形態において１は左右に開口を有する角筒形の檻本体は側面枠４、天井枠３、底面枠５、シャッター１８，１８とからなる上記各金網は太い金属材、例えば天井、底面の外枠はフラットバーに６φｍｍ金網１００ｃｍ×２００ｃｍの金網を溶接などで固定し、側面枠４，４はアングル材に６φｍｍφ網１００ｃｍ×２００ｃｍを溶接、中央部はフラットバーで格子となり重量は約１４０ｋｇ位ですが移動の時は分解出来るよう外枠のフラットバー、アングルにネジを切ってナットを使用せずＭ８のボルト止メにして現地組立が好ましい。
【０００６】
檻本体の左右の開口上部、つまり側面枠４の各両端部にシャッター１８，１８が垂直に降下して開口を閉じるのを相対向してガイドするガイド部材（アングル材）２，２を設けておく。又、この各ガイド部材２，２の上には各開口の上で垂直に立つ左右のシャッター１８，１８を垂直に降下可能に支持する上部ガイド部材２１，２１を延長上に設ける。
【０００７】
左右のシャッター１８，１８も太いアングル材からなる外枠レール６外枠の内部に溶接された金網と格子材とで構成する。その寸法は前述の檻本体の場合１００ｃｍ×幅約１００ｃｍであり、このシャッター１８，１８を垂直に動くのを支持するガイド部材２と２１は二重のアングル材で上下方向は１４５ｃｍあれば良い。シャッター１８，１８には図１１に示す可動フック９を付け、シャッター１８，１８を速く降下さす。又、降下したシャッター１８，１８が開き動物が逃げないよう図１２に示す閉鎖自動ロック７上部に位置し、図１３に示す作業の安全性を考慮して丸棒を内側に傾斜し、自重で抜けない安全開口ロック８を付け、シャッター１８，１８も山などに移動する場合は取り外せるようにしておく。
【０００８】
檻本体の側面枠４に回転軸受上用２５と回転軸受下用２４が着脱可能な回転シャフト１５と仕掛け１６が可動するよう支持し、天井枠３上部に位置するストッパー機構２０は図３に示す。バランスアーム１３，１３に連なる連結棒１４はシャッター１８，１８の自重で外側に押出す力が作用し回転シャフト１５に固定してある回転シャフトロック２３が止めたり、又、回転すると係止め状態を解除する図９に示す。側面枠４上部中央に位置する回転軸受上２５と回転軸受下２４、回転シャフト１５と連結し、捕獲する動物によって蝶ネジロック用２２を回して高さを調整着脱出来る仕掛け１６を動物が回動さすことにより図３檻本体天井枠３上部のストッパー機構２０の左右両端部にストッパー腕１０に垂直に立っている一対のシャッター１８，１８の安全ロック８を解除して有ると垂直に降下しシャッター１８，１８が閉じた後は、回転シャフト１５が側面に位置するため動物が押し倒したりしないので、破損が少ない。回転形は捕獲しようとする動物の大きさにより仕掛け１６の高さを調整し、猪・鹿・熊に使用する捕獲檻。
【０００９】
檻本体に仕掛け２８を使用するには側面枠４に可動アーム止メ１７を位置し可動アーム２７の上端を連結棒１４に連結し一端部を側面枠４につけた仕掛け２８を係止めの状態に位置して図１と図４に示す檻本体は動物の習性等を考え獣道に設置して檻本体内の底面手前の左回り方向から中央部に多く動物の好物のエサを置き、エサの上で低い位置にサンドイッチ状態にして仕掛け２８（木・竹）の下には好物のイモや樹脂、ミミズ等を置き、係止め状態にし檻本体内に入ってきた猪が鼻や足で食べ物を動かす習性で仕掛けの一端部を係止めを解除すると檻本体上部のストッパー機構２０の両端に位置するストッパー腕の１０，１０から可動フック９が離脱して左右一対のシャッター１８，１８が同時に降下し開口を塞ぐ、機構は大小問わず猪専用の捕獲檻。
【００１０】
檻本体仕掛け２９・３０の使用は図２に示すストッパー機構２０のバランスアーム１３，１３からシャッター１８，１８の自重で前後に可動し力の方向を変え、連結棒１４からワイヤー２９に力を伝えるバランスアーム１３，１３の中央側の内角度が１８０度から９０度以下に可動するが１７０度では仕掛け３０を引く力が弱く細い釣り糸も使用可能なので小動物や鴉等には細くて見えにくいので適している。又、降下も遅くなる。９０度に近くなると仕掛け２９を引く力が強くなりシャッター１８，１８は速く降下する。鹿・猪・熊の親でないと可動しない。檻内には好奇心の強い子供から入るがシャッター１８，１８は可動しないので安全と思い親が入る。被害を多くする大型害獣の捕獲用も動物を絶滅させないために必要。又、図４に示すバランスアーム１３，１３を直線的に位置し、連結棒１４を細いワイヤー２９に連結し一方を側面枠４に固定し仕掛け２９の中間部を左右に押すとストッパー機構２０が可動し、開口上部左右一対のシャッター１８，１８を降下さす。又、引く運動をする動物には一方を魚釣りのように仕掛け３０の糸や針金に好物のエサを取付けエサを持ち帰る習性のある猿や狐などに適している。又、連結棒１４の単純な前後運動でシャッター１８，１８は上部で支持したり降下したりするので前後運動する電磁式の遠隔操作装置器具は取付けしやすい。
【００１１】
檻本体の左右各開口の上部にシャッター１８，１８が垂直に立ち、停まった状態は図４に示す。ストッパー気機構２０は前後フレ止メ１９とストッパー受３１により支持され可動する。図１１に示すストッパー腕１０，１０の上端部は可動フック９の接する上面を水平に保つようタンパックル１１で調整し、ネジ付シャフトに連結され前後フレ止メ１９で前後の移動を止め左右の可動をガイドする天井枠中央部左右一直線状態からへの字形に可動するようにボルトとダブルナットで位置されたバランスアーム１３，１３は連結棒１４にて前後方向に力が可動しガイドする連結棒ガイド２６に有る蝶ネジ２２を締めるとストッパー機構２０とストッパー腕１０が図４の一直線の状態で安全ロック状態となり、両端部のストッパー腕１０の上にシャッター１８，１８を垂直に立った状態で降下を停める。
【００１２】
【発明の効果】
以上で明らかなように本発明は檻本体に入った動物の重量で床面枠が下に動く必要がない。従って檻本体を地面に設置すると底面枠が地面と同一面になり、又、中央部に押し回す障害物が少ないので動物が警戒しないで開口から入る。又、入った後檻本体中央部を動物によって破損されることも少なく、設置する時地面を平らにするだけで地面を掘り下げることもない。捕獲する動物の大きさ、種類によって仕掛け１６・２８・２９・３０を取替可能で檻本体の購入台数を少なくして、効率よく有害鳥獣被害の多い場所に分解移動組立出来る手段を設けたことを特徴とし、安全開口ロック等を付けて作業の安全性を考えた捕獲檻。
【図面の簡単な説明】
【図１】本発明の捕獲檻の斜視図
【図２】図１に仕掛け２９、３０使用する場合平面図・拡大平面図
【図３】図１に回転シャフト１５、仕掛け１６使用する場合平面図・拡大平面図
【図４】図１に可動アーム２７、仕掛け２８使用し、シャッター１８，１８をストッパー機構２０とストッパー腕１０、可動フック９、安全開口ロック８で安全に止めた場合の拡大平面図
【図５】ストッパー機構２０とストッパー腕１０と可動フック９の拡大斜視図
【図６】仕掛け３０細い釣り糸（植物のツルも可）とワイヤー２９斜視図
【図７】仕掛け２８用可動アーム２７、可動アーム止メ１７斜視図
【図８】バランスアーム１３，１３分解斜視図
【図９】回転アーム１５使用斜視図
【図１０】捕獲檻のシャッター１８が開口した状態の拡大図
【図１１】図１のシャッター部が開口した状態の側面拡大図
【図１２】シャッター１８の上部と自動ロック（閉鎖ロック）７の拡大図
【図１３】シャッター１８下部の安全ロック８がロックした状態の拡大図
【符号の説明】
１    檻本体
２    シャッターガイド部材
３    檻上部天井枠
４    側面枠
５    底面枠
６    シャッター部レール
７    自動ロック（閉鎖ロック）
８    安全開口ロック
９    可動フック
１０  ストッパー腕
１１  タンパックル（長さ調整用）
１２  ネジ付シャフト
１３  バランスアーム
１４  連結棒
１５  回転シャフト
１６  仕掛け（回転シャフト用）
１７  可動アーム止メ
１８  シャッター
１９  前後フレ止メ
２０  １１、１２，１３ストッパー機構
２１  シャッターガイド上部
２２  蝶ネジロック用
２３  回転シャフト用ロック
２４  回転軸受下
２５  回転軸受上
２６  ガイドロック
２７  可動アーム２８用
２８  仕掛け（木又は竹）
２９  ワイヤー
３０  釣り糸又は植物のツル
３１  ストッパー腕受け
３２  連結パイプ
３３  ワイヤー受け
【図１】
0004143888.tif 000002
【図２】
0004143888.tif 000003
【図３】
0004143888.tif 000004
【図４】
0004143888.tif 000005
【図５】
0004143888.tif 000006
【図６】
0004143888.tif 000007
【図７】
0004143888.tif 000008
【図８】
0004143888.tif 000009
【図９】
0004143888.tif 000010
【図１０】
0004143888.tif 000011
【図１３】
0004143888.tif 000012
【図１１】
0004143888.tif 000013
【図１２】
0004143888.tif 000014